【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
メモリ上に実現される仮想空間内の位置情報，形状情報を含む複数の情報から構成される形状モデルを取り扱い可能な情報処理装置において、
部分的に隠蔽化すべき形状モデルを記憶する記憶手段と、
前記記憶手段に記憶された形状モデルに対して隠蔽化を行う複数の領域を指定する指定手段と、
前記形状モデルから前記指定手段により指定された複数の領域に対応する各部分をそれぞれ切り出して複数の隠蔽部分形状モデルを生成する第１の生成手段と、
前記各隠蔽部分形状モデルを切り出された前記形状モデルの各領域に対して他の形状モデルをそれぞれ組み込んで隠蔽化形状モデルを生成する第２の生成手段と、
切り出された前記各隠蔽部分形状モデルの位置情報を、前記各隠蔽部分形状モデルを特定する情報に紐付けて、前記隠蔽化形状モデル内に付加する付加手段と、
切り出された前記各隠蔽部分形状モデルの位置情報を変更する変更手段と、
前記隠蔽化形状モデルの元の形状の復元可否を判断するためのパスワードを前記隠蔽化形状モデル内に付加するパスワード付加手段と、
を有することを特徴とする情報処理装置。
【請求項２】
前記各隠蔽部分形状モデルを細分化して複数の細分化隠蔽部分形状モデルを生成する細分化手段を有し、
前記付加手段は、前記細分化隠蔽部分形状モデルのそれぞれの位置情報を、前記細分化隠蔽部分形状モデルのそれぞれを特定する情報に紐付けて、前記隠蔽化形状モデル内に付加することを特徴とする請求項１に記載の情報処理装置。
【請求項３】
前記変更手段は、前記細分化隠蔽部分形状モデルのそれぞれの位置情報を変更することを特徴とする請求項２に記載の情報処理装置。
【請求項４】
前記パスワード付加手段は、前記隠蔽部分形状モデル毎のパスワードをそれぞれ前記隠蔽化形状モデル内に付加することを特徴とする請求項１乃至３のいずれか１項に記載の情報処理装置。
【請求項５】
前記形状モデルは、ＣＡＤデータであることを特徴とする請求項１乃至４のいずれか１項に記載の情報処理装置。
【請求項６】
メモリ上に実現される仮想空間内の位置情報，形状情報を含む複数の情報から構成される形状モデルを取り扱い可能な情報処理装置において、
部分的に隠蔽された隠蔽化形状モデルと、前記隠蔽部分を示す複数の隠蔽部分形状モデルを記憶する記憶手段と、
前記記憶手段に記憶される隠蔽化形状モデル内に付加されている前記各隠蔽部分形状モデルの位置情報に基づいて、前記隠蔽化形状モデルと前記各隠蔽部分形状モデルとを合成して、形状モデルの形状を復元する復元処理を実行する復元手段と、
前記復元手段は、入力されるパスワードと前記隠蔽化形状モデル内に付加されているパスワードとを比較して復元処理の実行可否を制御することを特徴とする情報処理装置。
【請求項７】
前記復元手段は、前記隠蔽化形状モデル内に付加されている前記いずれかの隠蔽部分形状モデルの位置情報に基づいて、前記隠蔽化形状モデルと前記いずれかの隠蔽部分形状モデルとを合成して、形状モデルの形状を部分的に復元することを特徴とする請求項６記載の情報処理装置。
【請求項８】
前記隠蔽部分形状モデルは、前記隠蔽化形状モデルの隠蔽部分を細分化した複数の細分化隠蔽部分形状モデルの集合体であり、
前記復元手段は、前記隠蔽化形状モデル内に付加されている前記各細分化隠蔽部分形状モデルの位置情報に基づいて、前記各細分化隠蔽部分形状モデルから前記隠蔽化形状モデルの隠蔽部分を復元し、該隠蔽部分と前記隠蔽化形状モデルとを合成して、形状モデルの形状を復元することを特徴とする請求項６又は７に記載の情報処理装置。
【請求項９】
前記復元手段は、入力されるパスワードと前記隠蔽化形状モデル内に付加されているパスワードとを比較して復元処理の実行可否を制御することを特徴とする請求項６乃至８のいずれか１項に記載の情報処理装置。
【請求項１０】
前記形状モデルは、ＣＡＤデータであることを特徴とする請求項６乃至９のいずれか１項に記載の情報処理装置。
【請求項１１】
メモリ上に実現される仮想空間内の位置情報，形状情報を含む複数の情報から構成される形状モデルを取り扱い可能な情報処理装置における形状モデル隠蔽化方法であって、
読み出し手段が、記憶手段に記憶される部分的に隠蔽化すべき形状モデルを読み出す読み出しステップと、
指定手段が、前記読み出しステップで読み出された形状モデルに対して隠蔽化を行う複数の領域を指定する指定ステップと、
第１の生成手段が、前記形状モデルから前記指定ステップで指定された複数の領域に対応する各部分をそれぞれ切り出して複数の隠蔽部分形状モデルを生成する第１の生成ステップと、
第２の生成手段が、前記各隠蔽部分形状モデルを切り出された前記形状モデルの各領域に対して他の形状モデルをそれぞれ組み込んで隠蔽化形状モデルを生成する第２の生成ステップと、
付加手段が、切り出された前記各隠蔽部分形状モデルの位置情報を、前記各隠蔽部分形状モデルを特定する情報に紐付けて、前記隠蔽化形状モデル内に付加する付加ステップと、
変更手段が、切り出された前記各隠蔽部分形状モデルの位置情報を変更する変更ステップと、
パスワード付加手段が、前記隠蔽化形状モデルの元の形状の復元可否を判断するためのパスワードを前記隠蔽化形状モデル内に付加するパスワード付加ステップと、
を有することを特徴とする形状モデル隠蔽化方法。
【請求項１２】
メモリ上に実現される仮想空間内の位置情報，形状情報を含む複数の情報から構成される形状モデルを取り扱い可能な情報処理装置を、
部分的に隠蔽化すべき形状モデルを記憶する記憶手段、
前記記憶手段に記憶された形状モデルに対して隠蔽化を行う複数の領域を指定する指定手段、
前記形状モデルから前記指定手段により指定された複数の領域に対応する各部分をそれぞれ切り出して複数の隠蔽部分形状モデルを生成する第１の生成手段、
前記各隠蔽部分形状モデルを切り出された前記形状モデルの各領域に対して他の形状モデルをそれぞれ組み込んで隠蔽化形状モデルを生成する第２の生成手段、
切り出された前記各隠蔽部分形状モデルの位置情報を、前記各隠蔽部分形状モデルを特定する情報に紐付けて、前記隠蔽化形状モデル内に付加する付加手段、
切り出された前記各隠蔽部分形状モデルの位置情報を変更する変更手段、
前記隠蔽化形状モデルの元の形状の復元可否を判断するためのパスワードを前記隠蔽化形状モデル内に付加するパスワード付加手段、
として機能させるためのプログラム。
【請求項１３】
請求項１２に記載されたプログラムを記録したコンピュータ読み取り可能な記録媒体。
【手続補正２】
【補正対象書類名】明細書
【補正対象項目名】０００８
【補正方法】変更
【補正の内容】
【０００８】
本発明は、上記の問題を解決するためになされたもので、本発明の目的は、３次元ＣＡＤ等の形状モデルにおいて、完成形を開示しないで見積もりに必要な形状は開示しつつ、見積もりを通った後で容易に完成形を復元することができる仕組を提供することである。
【手続補正３】
【補正対象書類名】明細書
【補正対象項目名】００１１
【補正方法】変更
【補正の内容】
【００１１】
本発明によれば、３次元ＣＡＤ等の形状モデルの正式部品データ全体を開示することなく、見積精度の許容範囲内において、かつ製作に必要なデータの制限内において、複数の部分を切り取り、他の形状に置き換える処理、及び置き換えた部分を元の部分に再現することができる。
【手続補正４】
【補正対象書類名】明細書
【補正対象項目名】００１２
【補正方法】変更
【補正の内容】
【００１２】
従って、３次元ＣＡＤ等の形状モデルにおいて、完成形を開示しないで見積もりに必要な形状は開示しつつ、見積もりを通った後で容易に完成形を復元することができる等の効果を奏する。